(57)【要約】【課題】スキャンにより生じる通信中である基地局とのデータ通信ができない時間を抑制する無線通信端末を実現する。【解決手段】通信中の基地局に対応した予め設定されたチャネル順序に従って、それぞれのチャネルを用いたスキャンを実行するスキャン実行部（１２３）と、或るチャネルを用いた応答要求に対する応答信号の受信レベルが所定値を超えた場合、スキャンを終了する受信信号判定部（１２４）と、を備えている。【選択図】図１
2018085607.tif 000002
【特許請求の範囲】
【請求項１】
複数の基地局の間を移動して、該複数の基地局の何れかと通信する無線通信端末であって、
通信先となる基地局を切り替える場合、通信の切替え先となる基地局を決定するために、通信中の基地局に対応した予め設定されたチャネル順序に従って、それぞれのチャネルを用いて応答要求を送信することにより、スキャンを実行するスキャン実行部と、
上記スキャン中に受信した、或るチャネルを用いた上記応答要求に対する応答信号の受信レベルが所定値を超えた場合、上記スキャンを終了するスキャン終了部と、を備えていることを特徴とする無線通信端末。
【請求項２】
上記予め設定されたチャネル順序に含まれるチャネルは、上記通信中の基地局に隣接する隣接基地局で用いられるチャネルのみである請求項１に記載の無線通信端末。
【請求項３】
上記予め設定されたチャネル順序では、上記複数の基地局のうち、２以上の基地局で用いられているチャネルの順序が、１つの基地局で用いられているチャネルの順序よりも優先されていることを特徴とする請求項１または２に記載の無線通信端末。
【請求項４】
複数の基地局の間を移動して、該複数の基地局の何れかと通信する無線通信端末の制御方法であって、
通信先となる基地局を切り替える場合、通信の切替え先となる基地局を決定するために、通信中の基地局に対応した予め設定されたチャネル順序に従って、それぞれのチャネルを用いて応答要求を送信することにより、スキャンを実行するスキャン実行ステップと、
上記スキャン中に受信した、或るチャネルを用いた上記応答要求に対する応答信号の受信レベルが所定値を超えた場合、上記スキャンを終了するスキャン終了ステップと、を含むことを特徴とする無線通信端末の制御方法。
【請求項５】
請求項１に記載の無線通信端末としてコンピュータを機能させるためのプログラムであって、上記スキャン実行部および上記スキャン終了部としてコンピュータを機能させるためのプログラム。
【発明の詳細な説明】
【技術分野】
【０００１】
本発明は通信を行う基地局の切り替えを行う無線通信端末に関する。
【背景技術】
【０００２】
無線ＬＡＮ（Local Area Network）を用いた通信システムにおいて、複数の無線アクセスポイントを配置することによって、無線ＬＡＮ端末が移動するエリアの通信をカバーする。上記エリアにて無線ＬＡＮ端末が移動し、無線アクセスポイントとのデータ通信品質が劣化すると、無線ＬＡＮ端末は他の無線アクセスポイントとの通信品質をサーチする。そして、無線ＬＡＮ端末は、サーチの結果に応じて通信品質の良い無線アクセスポイントとの接続に切り替えるハンドオーバー動作を行う。無線ＬＡＮ端末が通信品質の良い無線アクセスポイントを探索する動作をスキャンという。例えば、特許文献１および特許文献２には、無線通信システムのハンドオーバーについての技術が開示されている。
【先行技術文献】
【特許文献】
【０００３】
【特許文献１】特開２００７−３２５０６７号公報（２００７年１２月１３日公開）
【特許文献２】特開２００８−１６０４６３（２００８年７月１０日公開）
【発明の概要】
【発明が解決しようとする課題】
【０００４】
上述のように、無線ＬＡＮ端末はスキャン動作中において、アクセスポイントの探索動作を行う。そのため、スキャン動作中において、無線ＬＡＮ端末は通信中である無線アクセスポイントとデータ通信を行うことができなくなるという問題点がある。
【０００５】
本発明は、前記の問題点に鑑みてなされたものであり、その目的は、スキャンにより生じる通信中である無線アクセスポイント（基地局）とのデータ通信ができない時間を抑制する無線通信端末を実現することを目的とする。
【課題を解決するための手段】
【０００６】
上記の課題を解決するために、本発明の一態様に係る無線通信端末は、複数の基地局の間を移動して、該複数の基地局の何れかと通信する無線通信端末であって、通信先となる基地局を切り替える場合、通信の切替え先となる基地局を決定するために、通信中の基地局に対応した予め設定されたチャネル順序に従って、それぞれのチャネルを用いて応答要求を送信することにより、スキャンを実行するスキャン実行部と、上記スキャン中に受信した、或るチャネルを用いた上記応答要求に対する応答信号の受信レベルが所定値を超えた場合、上記スキャンを終了するスキャン終了部と、を備えている。
【０００７】
また、上記の課題を解決するために、本発明の一態様に係る無線通信端末の制御方法は、複数の基地局の間を移動して、該複数の基地局の何れかと通信する無線通信端末の制御方法であって、通信先となる基地局を切り替える場合、通信の切替え先となる基地局を決定するために、通信中の基地局に対応した予め設定されたチャネル順序に従って、それぞれのチャネルを用いて応答要求を送信することにより、スキャンを実行するスキャン実行ステップと、上記スキャン中に受信した、或るチャネルを用いた上記応答要求に対する応答信号の受信レベルが所定値を超えた場合、上記スキャンを終了するスキャン終了ステップと、を含む。
【発明の効果】
【０００８】
本発明の一態様によれば、スキャンに要する時間を抑制し易いという効果を奏する。
【図面の簡単な説明】
【０００９】
【図１】本実施形態に係る無線通信端末の要部構成を示すブロック図である。
【図２】本実施形態に係る無線通信端末の処理の概要を示す図である。
【図３】本実施形態に係る無線ＬＡＮによる通話およびハンドオーバー動作の概念を示す図である。
【図４】本実施形態に係るチャネル情報の一例を示す図である。
【図５】本実施形態に係る基地局切替え処理の流れの一例を示すフローチャートである。
【図６】本実施形態に係るチャネル情報の取得処理の流れの一例を示すフローチャートである。
【発明を実施するための形態】
【００１０】
以下、本発明の実施の形態について、図１〜６に基づいて説明する。なお、下記の実施形態においては、本発明に係る無線通信端末１が無線ＬＡＮによるＶｏＩＰ（voice over IP）通話のシステムに適用されるものとして説明する。しかしながら、無線通信端末１が適用されるシステムについては、無線通信端末１が複数の基地局間を移動し、無線通信端末１が基地局の切替えを実行するシステムであればよく、特に限定されない。
【００１１】
（無線通信端末１の概要）
図２に基づいて無線通信端末１の概要について説明する。図２は、本実施形態に係る無線通信端末１の処理の概要を示す図である。無線通信端末１は、基地局の切り替えにおいて、無線通信端末１と通信中の基地局に対応した予め設定されているチャネルの順序を示すチャネル情報１４１を読み出す。そして、無線通信端末１は、複数の基地局のうち、通信の切替え先となる基地局との通信に用いるチャネルを決定するために、通信中の基地局に対応した予め設定されたチャネル順序に従って、それぞれのチャネルを用いて応答要求を送信することにより、スキャンを実行する。例えば、チャネル情報１４１が示すチャネルの順序の最上位はｃｈ６となっている場合、無線通信端末１はｃｈ６を用いて応答要求を示す信号を基地局に発信する。続いて、無線通信端末１はｃｈ６を用いて通信を行う基地局から応答信号を受信する。図２に示す例では、基地局Ｄが、チャネルの順序の最上位のチャネル（ｃｈ６）を用いて通信する基地局である。ｃｈ６を用いた応答信号の受信レベルが所定値を超えた場合、すなわち、切替え先として適切な基地局がｃｈ６を用いている場合、無線通信端末１はスキャンを終了する。すなわち、チャネル情報１４１が示すチャネルの順序において、ｃｈ６よりも下位のチャネル（例えば、ｃｈ１）を用いたスキャンの実行を終了する。そして、無線通信端末１は通信に用いるチャネルをｃｈ６に切り替えることによって、通信を行う基地局を基地局Ｄに切り替えるハンドオーバーを実行する。なお、本明細書においては、無線通信端末１が或るチャネルを用いて応答要求を発信し、受信した応答信号の受信レベルから切替え先として適切な基地局が当該チャネルを用いているかを判定する一連の処理をチャンネルスキャンとよぶ。
【００１２】
（通信システム１００）
次に、図３に基づいて通信システム１００の概要について説明する。図３は、無線ＬＡＮによるＶｏＩＰ（voice over IP）通話およびハンドオーバー動作の概念を示す図である。図３に示すように、通信システム１００は、無線通信端末１、基地局Ａ〜Ｅおよび通信端末１０を含んでいる。無線通信端末１は、例えば、無線ＬＡＮ端末等である。また、基地局Ａ〜Ｅは、無線ＬＡＮアクセスポイント等である。通信端末１０は、無線通信端末１の通話先の端末である。無線通信端末１は通信端末１０と基地局Ａ〜Ｅの何れか１つを介して通信を行う。図３は、無線通信端末１は基地局Ａを介して通信端末１０と通信を行っている状態を示している。無線通信端末１と基地局Ａとは無線によって通信が行われる。図３において、破線によって示されている範囲Ｒ１〜Ｒ５は、各基地局Ａ〜Ｅと無線通信端末１とが通信可能である範囲を示している。また、基地局ＡはＭＡＣ（Ｍｅｄｉａ  Ａｃｃｅｓｓ  Ｃｏｎｔｒｏｌ）アドレスＡＡを有し、ｃｈ６を用いて無線通信端末１と通信を行う。基地局ＢはＭＡＣアドレスＢＢを有し、ｃｈ１を用いて通信を行う。基地局ＣはＭＡＣアドレスＣＣを有し、ｃｈ１１を用いて通信を行う。基地局ＤはＭＡＣアドレスＤＤを有し、ｃｈ６を用いて通信を行う。基地局ＥはＭＡＣアドレスＥＥを有し、ｃｈ１を用いて通信を行う。例えば、無線通信端末１が、図３に示すＤ１の方向に移動すると、無線通信端末１は通信に用いるチャネルをｃｈ６からｃｈ１に切り替えることによって、通信相手である基地局を基地局Ａから基地局Ｂに切り替えるハンドオーバー動作を行う。
【００１３】
また、無線通信端末１が、図３に示すＤ２の方向に移動すると、無線通信端末１は通信相手である基地局を基地局Ａから基地局Ｄに切り替える。基地局Ａおよび基地局Ｄは共にｃｈ６を用いて通信を行う。そのため、この基地局の切り替えにおいては、無線通信端末１は通信を行うチャネルをｃｈ６に維持する。
【００１４】
（無線通信端末１の構成）
次に、無線通信端末１の構成について、図１に基づいて説明する。図１は、無線通信端末１の要部構成を示すブロック図である。図１に示すように、無線通信端末１は、外部機器接続端子１１、制御部１２、通信部１３および記憶部１４を備えている。
【００１５】
（外部機器接続端子１１）
外部機器接続端子１１は、外部機器に対してデータの送受信を行うものである。本実施形態では、特に、外部機器である情報端末２からチャネル情報１４１を受信する。外部機器接続端子１１は、例えば、ＵＳＢ端子などを適用することができる。また、情報端末２は、例えば、スマートフォン、ＰＣ（Personal computer）、ＰＤＡ（Personal DigitalAssistant）、タブレット端末等である。
【００１６】
また、無線通信端末１はBluetooth（登録商標）などの近距離通信によって、情報端末２からチャネル情報１４１を受信する構成としてもよい。さらに他の構成として、無線通信端末１は、サーバ等に格納されているチャネル情報１４１を、インターネットを介して取得する構成としてもよい。
【００１７】
（制御部１２）
制御部１２は、無線通信端末１を統括的に制御するものである。制御部１２は、チャネル情報取得部１２１、スキャン開始判定部１２２、スキャン実行部１２３、受信信号判定部（スキャン終了部）１２４およびハンドオーバー実行部１２５を備えている。
【００１８】
（チャネル情報取得部１２１）
チャネル情報取得部１２１は、外部機器接続端子１１を介して情報端末２からチャネル情報１４１を取得する。チャネル情報取得部１２１は、取得したチャネル情報１４１を記憶部１４に格納する。
【００１９】
（チャネル情報１４１）
ここで、チャネル情報１４１について、図３および図４を参照して説明する。図４は、チャネル情報１４１の一例を示す図である。図４に示すように、チャネル情報１４１は、基地局毎にチャネルスキャンを行うチャネル（スキャンチャネル）を示す。また、チャネル情報１４１は、各基地局に対応するＭＡＣアドレスを示す構成としてもよい。すなわち、チャネル情報１４１は、ＭＡＣアドレス毎にチャネルスキャンを行うチャネル（スキャンチャネル）を示すと表現することもできる。また、基地局に対してチャネルスキャンを行うチャネルが複数ある場合、チャネル情報１４１はチャネルスキャンを行うチャネルの順序を示す。図４に示す左側に示されているチャネルは右側に示されているチャネルよりも優先されてチャネルスキャンされる。例えば、図４に示すように、基地局Ａと通信中である無線通信端末１は、ｃｈ１およびｃｈ６の順序でチャネルスキャンを実行する。また、基地局Ｂと通信中である無線通信端末１は、ｃｈ６、ｃｈ１およびｃｈ１１の順序でチャネルスキャンを実行する。また、基地局Ｄと通信中である無線通信端末１は、ｃｈ１およびｃｈ６の順序でチャネルスキャンを実行する。また、基地局Ｅと通信中である無線通信端末１は、ｃｈ１、ｃｈ６およびｃｈ１１の順序でチャネルスキャンを実行する。
【００２０】
また、各基地局Ａ〜Ｅに設定されているスキャンに用いるチャネル（チャネル順序に含まれているチャネル）は、各基地局に隣接する基地局が用いるチャネルのみで構成されてもよい。例えば、図３に示すように、基地局Ａにはｃｈ１を用いる基地局Ｂおよびｃｈ６を用いる基地局Ｄが隣接している。そのため、図４に示すように基地局Ａに設定されているスキャンに用いるチャネルは、ｃｈ１およびｃｈ６となる。また、図３に示すように、基地局Ｂにはｃｈ６を用いる基地局Ａ、ｃｈ１１を用いる基地局Ｃ、ｃｈ６を用いる基地局Ｄおよびｃｈ１を用いる基地局Ｅが隣接している。そのため、図４に示すように基地局Ｂに設定されているスキャンに用いるチャネルは、ｃｈ６、ｃｈ１およびｃｈ１１となる。また、図３に示すように、基地局Ｃにはｃｈ１を用いる基地局Ｂおよびｃｈ１を用いる基地局Ｅが隣接している。そのため、図４に示すように、基地局Ｃに設定されているスキャンに用いるチャネルは１ｃｎとなる。また、図３に示すように、基地局Ｄにはｃｈ６を用いる基地局Ａ、ｃｈ１を用いる基地局Ｂおよびｃｈ１を用いる基地局Ｅが隣接している。そのため、図４に示すように、基地局Ｄに設定されているスキャンに用いるチャネルはｃｈ６およびｃｈ１となる。また、図３に示すように、基地局Ｅにはｃｈ１を用いる基地局Ｂ、ｃｈ１１を用いる基地局Ｃおよびｃｈ６を用いる基地局Ｄが隣接している。そのため、図４に示すように、基地局Ｅに設定されているスキャンを用いるチャネルはｃｈ１、ｃｈ６およびｃｈ１１となる。
【００２１】
また、チャネル情報１４１が示すチャネル順序は、複数基地局のうち、２以上の基地局で用いられているチャネルの順序が、１つの基地局で用いられているチャネルの順序よりも優先されていてもよい。例えば、図４に示すように、基地局Ｂに設定されているチャネルの順序はｃｈ６、ｃｈ１、ｃｈ１１の順である。図３に示すように、ｃｈ６は基地局Ａおよび基地局Ｄに用いられている。一方で、ｃｈ１１は、単数の基地局Ｃのみに用いている。また、ｃｈ１については、基地局Ｂ以外では、基地局Ｅのみに用いられている。すなわち、複数の基地局に用いられているｃｈ６が、単数の基地局に用いられているｃｈ１１およびｃｈ１よりも優先されている。例えば、スキャンに用いられるチャネルの順序は、そのチャネルを使用する基地局の数が多いほど優先される構成としてもよい。
【００２２】
（スキャン開始判定部１２２）
スキャン開始判定部１２２は、無線通信端末１と通信中の基地局から受信した信号の受信レベルが所定の値よりも低いか否かを判定する。詳細には、スキャン開始判定部１２２は、通信部１３から通信中の基地局からの受信レベルを受信する。該受信レベルが所定の値よりも低くなった場合に、スキャンの開始をスキャン実行部１２３に指示する。
【００２３】
（スキャン実行部１２３）
スキャン実行部１２３は、スキャンの開始の指示をスキャン開始判定部１２２から受信すると（通信先となる基地局を切り替える場合）、基地局Ａ〜Ｅのうち、通信の切替え先となる基地局との通信に用いるチャネルを決定するために、通信中の基地局に対応した予め設定されたチャネル順序に従って、それぞれのチャネルを用いて応答要求を送信することにより、スキャンを実行する。詳細には、スキャン実行部１２３は記憶部１４に格納されているチャネル情報１４１および待受け基地局情報１４２を読み出す。待受け基地局情報１４２は、無線通信端末１が通信中の基地局を示す情報である。スキャン実行部１２３はチャネル情報１４１および待受け基地局情報１４２を参照し、無線通信端末１が通信中である基地局に対応した予め設定されているチャネル順序によってチャネルスキャンを行う。具体的には、スキャン実行部１２３はチャネル順序に含まれているチャネルを用いて応答要求を示す信号を、通信部１３を介して基地局に発信する。また、上述のチャネル情報１４１にて説明したように、スキャン実行部１２３は、通信中の基地局に隣接する基地局が用いているチャネルのみを用いてチャネルスキャンを実行してもよい。さらに、スキャン実行部１２３は、１つの基地局が通信に用いているチャネルより先に、複数の基地局が通信に用いているチャネルを用いてチャネルスキャンを実行してもよい。また、スキャン実行部１２３は、受信信号判定部１２４の指示に従い、スキャンを終了する。また、スキャン実行部１２３は、チャネルスキャンに用いているチャネルを示す情報を受信信号判定部１２４に送信する構成としてもよい。
【００２４】
（受信信号判定部１２４）
受信信号判定部１２４は、スキャン中に受信した、或るチャネルを用いた応答要求に対する応答信号の受信レベルが所定値を超えた場合、上記スキャンを終了する。詳細には、受信信号判定部１２４は、スキャン実行部１２３による応答要求に対する基地局からの応答の受信レベルを通信部１３から受信する。また、受信信号判定部１２４は応答情報を通信部１３を介し、基地局Ａ〜Ｅの何れかから受信する。
【００２５】
上記応答情報には、基地局のＩＤ、該基地局が使用するチャネルなどが含まれていてもよい。受信信号判定部１２４は、基地局からの応答の受信レベルが所定の値以上であるか否かを判定する。基地局からの応答の受信レベルが所定の値以上である場合、スキャン実行部１２３にスキャンの終了を指示する。さらに、受信信号判定部１２４は、基地局の切り替えの指示を応答情報と共にハンドオーバー実行部１２５に送信する。
【００２６】
また、受信信号判定部１２４は、スキャン実行部１２３から受信した情報が示すチャネルスキャンに用いたチャネルに切り替えることによる基地局の切り替えの指示をハンドオーバー実行部１２５に送信してもよい。
【００２７】
（ハンドオーバー実行部１２５）
ハンドオーバー実行部１２５は、受信信号判定部１２４の指示に従い、応答情報または受信信号判定部１２４から受信したチャネルスキャンに用いたチャネルを参照し、通信部１３に通信に用いるチャネルの切り替えを指示し、基地局を切り替える。また、ハンドオーバー実行部１２５は基地局を切り替えると、記憶部１４に格納されている待受け基地局情報１４２を更新する。
【００２８】
（通信部１３）
通信部１３は、基地局と通信を行うものである。また、ハンドオーバー実行部１２５の指示に従い、通信に用いるチャネルの切替えを行う。また、通信部１３は、スキャン実行部１２３の指示に従い、応答要求を示す信号を発信する。通信部１３は、基地局からの受信レベルを検出する受信レベル検出部を備えていてもよい。受信レベル検出部は通信中の基地局の受信レベルをスキャン開始判定部１２２に送信する。また、通信部１３は、スキャン実行部１２３の指示によって発信された応答要求に対する基地局からの応答の受信レベルおよび該基地局から受信した応答情報を受信信号判定部１２４に送信する。
【００２９】
（記憶部１４）
記憶部１４は、例えばハードディスク、フラッシュメモリ等の不揮発性の記憶装置である。記憶部１４は、上述のチャネル情報１４１、待受け基地局情報１４２等の各種情報を格納している。
【００３０】
（無線通信端末１の基地局切替え処理の流れ）
次に、無線通信端末１における基地局切替え処理の流れについて、図５を用いて説明する。図５は、無線通信端末１における基地局切替え処理の流れの一例を示すフローチャートである。図５に示すように、スキャン開始判定部１２２の指示を受信すると、スキャン実行部１２３は、待受け基地局情報１４２を参照し、通信中の基地局（待受けている基地局）に対応したチャネル情報１４１を読み出す（読み込む）（Ｓ１０）。続いて、スキャン実行部１２３は、チャネル情報１４１が示す１番目のチャネルを用いて応答要求を示す信号を発信することによって、チャネルスキャンを実行（実施）する（Ｓ１１：スキャン実行ステップ）。続いて、受信信号判定部１２４は、基地局からの応答の受信レベルが所定の値を越えているか否かを判定することによって、該基地局が切替え先（ハンドオーバー先）の基地局として適切か否かを判定する（Ｓ１２：スキャン終了ステップ）。基地局からの応答の受信レベルが所定の値を越えている場合（Ｓ１２でＹＥＳ）、スキャン実行部１２３はスキャンを終了する（Ｓ１３：スキャン終了ステップ）。続いて、ハンドオーバー実行部１２５は、基地局の切り替え（ハンドオーバー）を実行し（Ｓ１４）、処理は終了する。なお、基地局からの応答の受信レベルが所定の値未満である場合（Ｓ１２でＮＯ）、スキャン実行部１２３は、チャネル情報１４１に次のチャネルがあるか否かを判定する（Ｓ１５）。チャネル情報１４１に次のチャネルがある場合（Ｓ１５でＹＥＳ）、スキャン実行部１２３は、チャネル情報１４１に示されている次のチャネルを用いて応答要求を示す信号を発信することによって、チャネルスキャンを実行（実施）する（Ｓ１６：スキャン実行ステップ）。続いて、処理はＳ１２に戻る。なお、チャネル情報１４１に次のチャネルがない場合（Ｓ１５でＮＯ）、処理は終了する。
【００３１】
（無線通信端末１のチャネル情報１４１の取得処理の流れ）
次に、無線通信端末１におけるチャネル情報１４１の取得処理の流れについて、図６を用いて説明する。図６は、無線通信端末１におけるチャネル情報１４１の取得処理の流れの一例を示すフローチャートである。図６に示すように、チャネル情報取得部１２１は、情報端末２からチャネル情報１４１を受信する（Ｓ２１）。続いて、チャネル情報取得部１２１は、チャネル情報１４１を記憶部１４に保存し（Ｓ２２）、処理は終了する。
【００３２】
〔ソフトウェアによる実現例〕
無線通信端末１の制御ブロック（特に、チャネル情報取得部１２１、スキャン開始判定部１２２、スキャン実行部１２３、受信信号判定部１２４およびハンドオーバー実行部１２５）は、集積回路（ＩＣチップ）等に形成された論理回路（ハードウェア）によって実現してもよいし、ＣＰＵ（Central Processing Unit）を用いてソフトウェアによって実現してもよい。
【００３３】
後者の場合、無線通信端末１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００３４】
〔まとめ〕
本発明の態様１に係る無線通信端末は、複数の基地局（Ａ〜Ｅ）の間を移動して、該複数の基地局の何れかと通信する無線通信端末（１）であって、通信先となる基地局を切り替える場合、通信の切替え先となる基地局を決定するために、通信中の基地局に対応した予め設定されたチャネル順序に従って、それぞれのチャネルを用いて応答要求を送信することにより、スキャンを実行するスキャン実行部（１２３）と、上記スキャン中に受信した、或るチャネルを用いた上記応答要求に対する応答信号の受信レベルが所定値を超えた場合、上記スキャンを終了するスキャン終了部（受信信号判定部１２４）と、を備えている。
【００３５】
上記の構成によれば、無線通信端末は、通信中の基地局に応じたチャネルの順序でスキャンを実行する。例えば、基地局毎に、無線通信端末の移動先となる可能性が高い基地局が用いるチャネルを優先するように上記順序を設定することができる。また、無線通信端末は、或るチャネルを用いた上記応答要求に対する応答信号の受信レベルが所定値を超えた場合、上記スキャンを終了する。よって、不要なチャネルのスキャンを行わず、スキャンに要する時間を抑制できる。
【００３６】
本発明の態様２に係る無線通信端末は、上記態様１において、上記予め設定されたチャネル順序に含まれるチャネルは、上記通信中の基地局に隣接する隣接基地局で用いられるチャネルのみであってもよい。
【００３７】
上記の構成によれば、スキャン実行部が実行するスキャンは隣接する基地局が用いるチャネルのみを用いたものとなる。そのため、ハンドオーバー先となる可能性が低い基地局が用いているチャネルのスキャンを省略することができる。したがって、効率よくスキャン行い、スキャンに要する時間を抑制できる。
【００３８】
本発明の態様３に係る無線通信端末は、上記態様１または２において、上記予め設定されたチャネル順序では、上記複数の基地局のうち、２以上の基地局で用いられているチャネルの順序が、１つの基地局で用いられているチャネルの順序よりも優先されていてもよい。
【００３９】
上記の構成によれば、１つの基地局を対象とするチャネルを用いたチャネルスキャンよりも、複数の基地局を対象とするチャネルを用いたチャネルスキャンを優先して実行することができる。したがって、ハンドオーバー先となる基地局を探索するのに要する時間を短くし易い。
【００４０】
本発明の態様４に係る無線通信端末の制御方法は、複数の基地局の間を移動して、該複数の基地局の何れかと通信する無線通信端末の制御方法であって、通信先となる基地局を切り替える場合、通信の切替え先となる基地局を決定するために、通信中の基地局に対応した予め設定されたチャネル順序に従って、それぞれのチャネルを用いて応答要求を送信することにより、スキャンを実行するスキャン実行ステップ（Ｓ１１、Ｓ１６）と、上記スキャン中に受信した、或るチャネルを用いた上記応答要求に対する応答信号の受信レベルが所定値を超えた場合、上記スキャンを終了するスキャン終了ステップ（Ｓ１２、Ｓ１３）とを含む。上記の構成によれば、上記態様１と同様の効果を奏する。
【００４１】
本発明の各態様に係る無線通信端末は、コンピュータによって実現してもよく、この場合には、コンピュータを上記無線通信端末装置が備える各部（ソフトウェア要素）として動作させることにより上記無線通信端末をコンピュータにて実現させる無線通信端末の制御プログラム、およびそれを記録したコンピュータ読み取り可能な記録媒体も、本発明の範疇に入る。
【００４２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００４３】
１              無線通信端末
１２３          スキャン実行部
１２４          受信信号判定部（スキャン終了部）
Ａ〜Ｄ          基地局
Ｓ１１、Ｓ１６  スキャン実行ステップ
Ｓ１２、Ｓ１３  スキャン終了ステップ
【図１】
2018085607.tif 000003
【図２】
2018085607.tif 000004
【図３】
2018085607.tif 000005
【図４】
2018085607.tif 000006
【図５】
2018085607.tif 000007
【図６】
2018085607.tif 000008